【手続補正書】
【提出日】平成21年10月13日(2009.10.13)
【手続補正１】
【補正対象書類名】特許請求の範囲
【補正対象項目名】全文
【補正方法】変更
【補正の内容】
【特許請求の範囲】
【請求項１】
撮像装置により撮像された動画データと、前記動画データの先頭からの経過時間に対応付けられた前記動画データの撮像時における前記撮像装置の状態を示す情報とを記録媒体から再生する再生手段と、
前記再生手段により再生された前記情報に基づいて、前記動画データの先頭からの経過時間に対応した前記撮像装置の状態を視覚的に表したユーザーインターフェースを生成し、前記ユーザーインターフェースを表示画面に表示する表示手段と、
前記ユーザーインターフェース上で指定された位置に対応した前記動画データの先頭からの経過時間によって特定された前記動画データ中の位置を、前記動画データの再生開始位置として設定する設定手段と、
を備えた
ことを特徴とする動画再生装置。
【請求項２】
前記表示手段は、前記表示画面における前記ユーザインタフェースを表示している画面と同じ画面に、前記動画データの前記再生開始位置に対応した画像を表示する
ことを特徴とする請求項１に記載の動画再生装置。
【請求項３】
前記撮像装置の状態を示す情報は、手ぶれ量、ズーム動作、合焦状態及び撮影モードの少なくとも１つに関する情報である
ことを特徴とする請求項１又は２に記載の動画再生装置。
【請求項４】
前記表示手段は、前記ユーザーインターフェースを、前記撮像装置の状態を示す情報に応じた表示色で表示する
ことを特徴とする請求項１から３のいずれか１項に記載の動画再生装置。
【請求項５】
前記ユーザーインターフェースは、１つの軸を前記動画データの先頭からの経過時間を示す軸とし、他の軸を前記撮像装置の状態を示す軸とするグラフである
ことを特徴とする請求項１から３のいずれか１項に記載の動画再生装置。
【請求項６】
前記ユーザーインターフェース上の位置を任意に指定する操作入力手段をさらに備え、
前記設定手段は、前記操作入力手段により指定された位置に対応した前記動画データの先頭からの経過時間によって特定された前記動画データ中の位置を、前記動画データの前記再生開始位置として設定する
ことを特徴とする請求項１から５のいずれか１項に記載の動画再生装置。
【請求項７】
前記設定手段は、前記操作入力手段により前記ユーザーインターフェース上の指定位置が変更された場合、前記変更された指定位置に従って前記再生開始位置を新たに設定し、
前記再生手段は、前記設定手段により新たに設定された前記再生開始位置から前記動画データを再生する
ことを特徴とする請求項６に記載の動画再生装置。
【請求項８】
前記表示手段は、前記記録媒体に記録された複数の前記動画データのサムネイルを前記表示画面に表示するとともに、複数の前記動画データのサムネイルのうち指定されたサムネイルに対応した前記ユーザーインターフェースを前記表示画面に表示する
ことを特徴とする請求項１から７のいずれか１項に記載の動画再生装置。
【請求項９】
前記表示手段は、前記指定されたサムネイルに対応する前記動画データを含む複数の前記動画データに対応した複数の前記ユーザーインターフェースを前記表示画面に表示するとともに、複数の前記ユーザーインターフェースのうち前記指定されたサムネイルに対応した前記ユーザーインターフェースを他の前記ユーザーインターフェースから識別可能なように表示する
ことを特徴とする請求項８に記載の動画再生装置。
【請求項１０】
動画再生装置の制御方法であって、
再生手段が、撮像装置により撮像された動画データと、前記動画データの先頭からの経過時間に対応付けられた前記動画データの撮像時における前記撮像装置の状態を示す情報とを記録媒体から再生する再生工程と、
表示手段が、前記再生工程で再生された前記情報に基づいて、前記動画データの先頭からの経過時間に対応した前記撮像装置の状態を視覚的に表したユーザーインターフェースを生成し、前記ユーザーインターフェースを表示画面に表示させる表示工程と、
設定手段が、前記ユーザーインターフェース上で指定された位置に対応した前記動画データの先頭からの経過時間によって特定された前記動画データ中の位置を、前記動画データの再生開始位置として設定する設定工程と、
を備えたことを特徴とする動画再生装置の制御方法。
【請求項１１】
前記設定工程では、前記表示手段が、前記表示画面における前記ユーザインタフェースを表示している画面と同じ画面に、前記動画データの前記再生開始位置に対応した画像を表示する
ことを特徴とする請求項１０に記載の動画再生装置の制御方法。
【請求項１２】
前記撮像装置の状態を示す情報は、手ぶれ量、ズーム動作、合焦状態及び撮影モードの少なくとも１つに関する情報である
ことを特徴とする請求項１０又は１１に記載の動画再生装置の制御方法。
【請求項１３】
前記表示工程では、前記表示手段が、前記ユーザーインターフェースを、前記撮像装置の状態を示す情報に応じた表示色で表示する
ことを特徴とする請求項１０から１２のいずれか１項に記載の動画再生装置の制御方法。
【請求項１４】
前記ユーザーインターフェースは、１つの軸を前記動画データの先頭からの経過時間を示す軸とし、他の軸を前記撮像装置の状態を示す軸とするグラフである
ことを特徴とする請求項１０から１２のいずれか１項に記載の動画再生装置の制御方法。
【請求項１５】
前記動画再生装置は、前記ユーザーインターフェース上の位置を任意に指定する操作入力手段をさらに備え、
前記設定工程では、前記設定手段が、前記操作入力手段により指定された位置に対応した前記動画データの先頭からの経過時間によって特定された前記動画データ中の位置を、前記動画データの前記再生開始位置として設定する
ことを特徴とする請求項１０から１４のいずれか１項に記載の動画再生装置の制御方法。
【請求項１６】
前記設定工程では、前記設定手段が、前記操作入力手段により前記ユーザーインターフェース上の指定位置が変更された場合、前記変更された指定位置に従って前記再生開始位置を新たに設定し、
前記再生工程では、前記再生手段が、前記設定工程で新たに設定された前記再生開始位置から前記動画データを再生する
ことを特徴とする請求項１５に記載の動画再生装置の制御方法。
【請求項１７】
前記表示工程では、前記表示手段が、前記記録媒体に記録された複数の前記動画データのサムネイルを前記表示画面に表示するとともに、複数の前記動画データのサムネイルのうち指定されたサムネイルに対応した前記ユーザーインターフェースを前記表示画面に表示する
ことを特徴とする請求項１０から１６のいずれか１項に記載の動画再生装置の制御方法。
【請求項１８】
前記表示工程では、前記表示手段が、前記指定されたサムネイルに対応する前記動画データを含む複数の前記動画データに対応した複数の前記ユーザーインターフェースを前記表示画面に表示するとともに、複数の前記ユーザーインターフェースのうち前記指定されたサムネイルに対応した前記ユーザーインターフェースを他の前記ユーザーインターフェースから識別可能なように表示する
ことを特徴とする請求項１７に記載の動画再生装置の制御方法。
【請求項１９】
コンピュータを請求項１から９のいずれか１項に記載の動画再生装置における各手段として機能させるプログラム。
【手続補正２】
【補正対象書類名】明細書
【補正対象項目名】０００７
【補正方法】変更
【補正の内容】
【０００７】
本発明の１つの側面に係る動画再生装置は、撮像装置により撮像された動画データと、前記動画データの先頭からの経過時間に対応付けられた前記動画データの撮像時における前記撮像装置の状態を示す情報とを記録媒体から再生する再生手段と、前記再生手段により再生された前記情報に基づいて、前記動画データの先頭からの経過時間に対応した前記撮像装置の状態を視覚的に表したユーザーインターフェースを生成し、前記ユーザーインターフェースを表示画面に表示する表示手段と、前記ユーザーインターフェース上で指定された位置に対応した前記動画データの先頭からの経過時間によって特定された前記動画データ中の位置を、前記動画データの再生開始位置として設定する設定手段とを備えたことを特徴とする。
【手続補正３】
【補正対象書類名】明細書
【補正対象項目名】００９６
【補正方法】変更
【補正の内容】
【００９６】
ステップＳ５では、ＣＰＵ１０８は、再生位置変更の指示に基づいて、再生位置変更指令を生成して記録再生処理部１０９へ供給する。記録再生処理部１０９は、再生位置変更指令に基づき、移動先の経時位置に対応した圧縮動画データを記録媒体１１２から読み出し符号化／復号化処理部１０６へ供給する。符号化／復号化処理部１０６は、圧縮動画データを復号して表示制御部１０７へ供給する。表示制御部１０７は、復号された動画データと、付加情報及び時間情報に基づき、動画とユーザーインターフェース（バー情報及びカーソル）とを多重化して表示部１０４に表示する。